(57)【要約】【課題】フラッシュブラケット撮影等の連続撮影を行うことによる発光部の特性劣化を抑制することができる撮像装置を提供する。【解決手段】事前発光による発光部１０１の補助光が照射された被写体の照度レベルが検出され、検出された結果に基づいて基準発光量を決定すると共に基準発光量の発光時間ＴＰが決定され、決定された、基準発光量の発光時間ＴＰ及び、発光部１０１の特性劣化が抑制される露光周期Ｔに対する基準発光量の発光時間ＴＰの比が規定され図５のデューティー比テーブルに基づいてデューティー比Ｄが決定され、該デューティー比Ｄ及び基準発光量の発光時間ＴＰを用いて連続撮影の露光周期Ｔが算出される（ステップＳ２０３）。【選択図】図２
2015222372.tif 000002
【特許請求の範囲】
【請求項１】
同一の露光周期で被写体の撮影を繰り返す撮像装置であって、前記被写体の撮影を繰り返す度に前記被写体へ撮影光を照射する発光部を有し、前記発光部は前記撮影が繰り返される際に前記撮影光の発光量を変化させる撮像装置において、
前記発光部の発光時間及び前記露光周期に対する発光時間の比の関係を規定するテーブルを格納する格納手段と、
前記撮影を繰り返す前に前記撮影における前記発光部の発光時間を決定する決定手段と、
前記決定された発光時間及び前記テーブルに基づいて前記露光周期を算出する算出手段とを備えることを特徴とする撮像装置。
【請求項２】
前記決定手段は、前記撮影を繰り返す前に前記発光部に流れる電流の値をさらに決定し、
前記算出手段は、前記決定された発光時間及び電流の値、並びに前記テーブルに基づいて前記露光周期を算出することを特徴とする請求項１記載の撮像装置。
【請求項３】
前記発光部は、前記撮影を繰り返す前に前記被写体へ補助光を照射し、
前記決定手段は、前記補助光が照射された前記被写体の測光の結果に基づいて、前記撮影における前記発光部の発光時間及び前記発光部に流れる電流の値を決定することを特徴とする請求項２記載の撮像装置。
【請求項４】
前記発光部は、前記撮影が繰り返される際に前記発光部の発光時間を所定の補正時間だけ増減させることを特徴とする請求項１乃至３のいずれか１項に記載の撮像装置。
【請求項５】
前記被写体の撮影を繰り返す際、最後の前記被写体の撮影において、前記発光部は前記発光部の発光時間を所定の補正時間だけ増加させることを特徴とする請求項１乃至４のいずれか１項に記載の撮像装置。
【請求項６】
前記格納手段は、複数の環境温度に対応して設定された複数の前記テーブルを格納することを特徴とする請求項１乃至５のいずれか１項に記載の撮像装置。
【請求項７】
前記発光部は、蛍光体方式の白色ＬＥＤ、又はＲＧＢ方式の白色ＬＥＤであることを特徴とする請求項１乃至６のいずれか１項に記載の撮像装置。
【請求項８】
照明装置が接続され、
前記発光部は、前記照明装置に設けられることを特徴とする請求項１乃至７のいずれか１項に記載の撮像装置。
【請求項９】
請求項１乃至８に記載の撮像装置に接続されることを特徴とする照明装置。
【請求項１０】
同一の露光周期で被写体の撮影を繰り返す撮像装置の制御方法であって、前記被写体の撮影を繰り返す度に前記被写体へ撮影光を照射する発光部を有し、前記発光部は前記撮影が繰り返される際に前記撮影光の発光量を変化させる撮像装置の制御方法において、
前記発光部の発光時間及び前記露光周期に対する発光時間の比の関係を規定するテーブルを格納する格納ステップと、
前記撮影を繰り返す前に前記撮影における前記発光部の発光時間を決定する決定ステップと、
前記決定された発光時間及び前記テーブルに基づいて前記露光周期を算出する算出ステップとを備えることを特徴とする撮像装置の制御方法。
【請求項１１】
同一の露光周期で被写体の撮影を繰り返す撮像装置の制御方法であって、前記被写体の撮影を繰り返す度に前記被写体へ撮影光を照射する発光部を有し、前記発光部は前記撮影が繰り返される際に前記撮影光の発光量を変化させる撮像装置の制御方法をコンピュータに実行させるプログラムにおいて、
前記撮像装置の制御方法は、
前記発光部の発光時間及び前記露光周期に対する発光時間の比の関係を規定するテーブルを格納する格納ステップと、
前記撮影を繰り返す前に前記撮影における前記発光部の発光時間を決定する決定ステップと、
前記決定された発光時間及び前記テーブルに基づいて前記露光周期を算出する算出ステップとを備えることを特徴とするプログラム。
【発明の詳細な説明】
【技術分野】
【０００１】
本発明は、撮像装置及びその制御方法、並びにプログラムに関し、特に、白色ＬＥＤを設けた撮像装置及びその制御方法、照明装置、並びにプログラムに関する。
【背景技術】
【０００２】
撮像装置における撮影手法として、少なくとも１回のレリーズ操作を行う際に、撮像装置に設けられたストロボの発光量を段階的に変化させながら撮影を行うフラッシュブラケット撮影がある。
【０００３】
フラッシュブラケット撮影は、ストロボの発光量を、例えば、基準となる発光量（以下、「基準発光量」という）、基準発光量より大きい発光量、基準発光量より小さい発光量に連続して切り替えて各発光量で撮影を行う。これにより、フラッシュブラケット撮影では、同じ被写体に対して明るさの異なる写真を撮影することができる。
【０００４】
ストロボでは、例えば、キセノン管や白色ＬＥＤ（Light Emitting Diode）が用いられるが、白色ＬＥＤはキセノン管に比べて小型なのでストロボの小型化を実現することができる。さらに、ストロボでは、白色ＬＥＤは連続照射が可能であるのでマクロ撮影時や動画撮影時の補助光も照射することができる（例えば、特許文献１参照）。
【先行技術文献】
【特許文献】
【０００５】
【特許文献１】特開２０１２−２１２１４５号公報
【発明の概要】
【発明が解決しようとする課題】
【０００６】
しかしながら、白色ＬＥＤでは、白色ＬＥＤにおけるＰＮ接合部のジャンクション温度を所定の温度以内で使用する必要がある。したがって、例えば、フラッシュブラケット撮影等の連続撮影において、白色ＬＥＤを用いたストロボを連続して発光させるときには、各発光の間にＰＮ接合部を冷却させるための所定の時間を設ける必要がある。ＰＮ接合部のジャンクション温度が所定の温度以内に維持されない場合には白色ＬＥＤの特性劣化が発生し、白色ＬＥＤの発光量の低下、白色ＬＥＤの色の変化、又は白色ＬＥＤの寿命の低下等が生じる可能性がある。
【０００７】
本発明の目的は、フラッシュブラケット撮影等の連続撮影を行うことによる発光部の特性劣化の発生を抑制することができる撮像装置及びその制御方法、照明装置、並びにプログラムを提供することにある。
【課題を解決するための手段】
【０００８】
上記目的を達成するために、本発明の撮像装置は、同一の露光周期で被写体の撮影を繰り返す撮像装置であって、前記被写体の撮影を繰り返す度に前記被写体へ撮影光を照射する発光部を有し、前記発光部は前記撮影が繰り返される際に前記撮影光の発光量を変化させる撮像装置において、前記発光部の発光時間及び前記露光周期に対する発光時間の比の関係を規定するテーブルを格納する格納手段と、前記撮影を繰り返す前に前記撮影における前記発光部の発光時間を決定する決定手段と、前記決定された発光時間及び前記テーブルに基づいて前記露光周期を算出する算出手段とを備えることを特徴とする。
【発明の効果】
【０００９】
本発明によれば、被写体の撮影が繰り返される同一の露光周期が、発光部の発光時間及び露光周期に対する発光時間の比の関係を規定するテーブルに基づいて算出される。ここで、テーブルにおいて発光部の特性劣化が抑制される露光周期に対する発光時間の比が規定されていると、撮影を繰り返す前に決定された発光部の発光時間から発光部の特性劣化が抑制される露光周期を算出することができる。その結果、算出された露光周期を用いることにより、フラッシュブラケット撮影等の連続撮影を行うことによる発光部の特性劣化の発生を抑制することができる。
【図面の簡単な説明】
【００１０】
【図１】本発明の実施の形態に係る撮像装置の構成を概略的に示すブロック図である。
【図２】図１の撮像装置によって実行されるフラッシュブラケット撮影処理の手順を示すフローチャートである。
【図３】図２のフラッシュブラケット撮影処理における露光周期を説明するために用いられるタイミングチャートである。
【図４】図２のフラッシュブラケット撮影処理における露光周期制御処理の手順を示すフローチャートである。
【図５】図３の露光周期制御処理で用いられるデューティー比テーブルを説明するために用いられる図である。
【図６】図２のフラッシュブラケット撮影処理における露光周期の変形例を説明するために用いられるタイミングチャートである。
【図７】図２のフラッシュブラケット撮影処理で実行される発光部の発光量の制御の変形例を説明するために用いられるタイミングチャートである。
【図８】図１の撮像装置の変形例の構成を概略的に示すブロック図である。
【発明を実施するための形態】
【００１１】
以下、本発明の実施の形態を図面を参照しながら詳述する。
【００１２】
図１は、本発明の実施の形態に係る撮像装置１００の構成を概略的に示すブロック図である。
【００１３】
図１の撮像装置１００は、発光部１０１、発光制御部１０２、マイコン１０３、レンズ部１０４、イメージセンサ１０５、Ａ／Ｄ変換部１０６、照度検出部１０７及び内部メモリ１０８を備える。さらに、撮像装置１００は、操作入力部１０９、画像表示部１１０、記憶媒体１１１、周期算出部１１２、発光量決定部１１３、及び連続撮影制御部１１４を備える。
【００１４】
発光部１０１は、発光制御部１０２によって制御される後述するパルス順電流ＩＦＰに基づいて補助光を発光する。発光部１０１には、例えば、青色ＬＥＤに黄色蛍光体を塗布した蛍光体方式の白色ＬＥＤや三波長タイプのＲＧＢ方式の白色ＬＥＤが用いられる。これにより、例えば、キセノン管を用いる場合に比べて発光部１０１の小型化を実現することができる。
【００１５】
発光制御部１０２は、後述するマイコン１０３の制御信号に基づいて発光部１０１に供給するパルス順電流ＩＦＰの量及び発光部１０１の発光時間ＴＰを制御して発光部１０１の発光量を制御する。
【００１６】
レンズ部１０４は、撮像装置１００に一体的に設けられた撮影光学系であり、フォーカス機能及びズーム機能を備えたレンズ群、シャッター、及び絞り（いずれも図示しない）を有する。レンズ部１０４は、レンズ群を透過した光でイメージセンサ１０５を露光してイメージセンサ１０５に被写体像を結像する。
【００１７】
イメージセンサ１０５は、レンズ部１０４によって結像された被写体像をアナログ信号に変換する。イメージセンサ１０５には、例えば、ＣＣＤセンサやＣＭＯＳセンサが用いられる。Ａ／Ｄ変換部１０６は、イメージセンサ１０５によって変換されたアナログ信号をデジタル信号に変換してマイコン１０３に出力する。照度検出部１０７は、発光部１０１の補助光が照射された被写体を測光して被写体の照度レベルを検出し、検出した結果をマイコン１０３に出力する。照度検出部１０７には、例えば、照度計が用いられる。
【００１８】
内部メモリ１０８は、ＲＯＭ及びＲＡＭ（いずれも図示しない）で構成される。ＲＯＭには、例えば、半導体の不揮発性メモリが用いられる。ＲＯＭは、撮像装置１００のシステムプログラムや各種処理プログラムを格納し、マイコン１０３がプログラムを実行する際に参照する各種データを格納する。本実施の形態では、ＲＯＭ（格納手段）に後述するデューティー比テーブルが格納される。ＲＡＭは、例えば、マイコン１０３がプログラムで処理したデータ及び操作入力部１０９から入力されたデータを一時的に格納する。
【００１９】
操作入力部１０９は、電源ＳＷ、メニューボタン、十字キー、モードダイヤルボタン、レリーズボタン等からなる。ユーザは、操作入力部１０９を用いて撮影条件等の設定情報を入力する。本実施の形態では、ユーザが、操作入力部１０９を用いてフラッシュブラケット撮影モードの設定やフラッシュブラケット撮影に用いられる各種設定を行う。記憶媒体１１１は、静止画像や動画像といったユーザが撮影した撮影画像を格納する。画像表示部１１０は、ユーザが操作入力部１０９を用いて入力した設定情報を表示し、さらに、記憶媒体１１１に格納された撮影画像を表示する。画像表示部１１０には、例えば、ＬＣＤや有機ＥＬが用いられる。
【００２０】
発光量決定部１１３は、照度検出部１０７で検出された結果に基づいて発光部１０１の基準発光量を決定し、決定された基準発光量に対応するパルス順電流ＩＦＰ及び発光部１０１の発光時間ＴＰを決定する。周期算出部１１２は、基準発光量に対応するパルス順電流ＩＦＰ及び基準発光量の発光時間ＴＰ、並びに後述するデューティー比テーブルに基づいて後述する連続撮影の露光周期Ｔを算出する。
【００２１】
連続撮影制御部１１４は、算出された露光周期Ｔ及び操作入力部１０９によって設定された撮影順等の設定情報に基づいてフラッシュブラケット撮影で用いられる発光部１０１の発光量が異なる各発光の順番を示す信号をマイコン１０３に出力する。マイコン１０３は、撮像装置１００の各構成要素を統括制御し、操作入力部１０９によって入力された設定情報に基づいて、例えば、オートフォーカス、自動露光制御、ホワイトバランス制御を行う。マイコン１０３は、基準発光量に対応するパルス順電流ＩＦＰ及び基準発光量の発光時間ＴＰ、算出された露光周期Ｔ、及び発光部１０１の各発光の順番を示す信号に基づいて制御信号を生成する。
【００２２】
図２は、図１の撮像装置１００によって実行されるフラッシュブラケット撮影処理の手順を示すフローチャートである。
【００２３】
図２の処理は、マイコン１０３が内部メモリ１０８に記憶されたプログラムを実行することによって行われる。
【００２４】
図２において、まず、操作入力部１０９を用いてフラッシュブラケット撮影モードが設定される。さらに、フラッシュブラケット撮影に必要な各種設定情報及び後述する撮影条件が設定されると（ステップＳ１０１）、マイコン１０３は設定されたフラッシュブラケット撮影に必要な各種設定情報を読み込む（ステップＳ１０２）。フラッシュブラケット撮影に必要な各種設定情報とは、例えば、フラッシュブラケット撮影における連続撮影枚数、基準発光量に対する発光量の補正量、フラッシュブラケット撮影で用いられる発光部１０１の発光量が異なる各発光の順番である。ここで、発光部１０１の発光量は、ステップＳ１０２で読み込まれた基準発光量に対する発光量の補正量を示す設定情報に基づいて基準発光量に対応するパルス順電流ＩＦＰ及び基準発光量の発光時間ＴＰに上記補正量を加算又は減算して調整される。本実施の形態では、基準発光量の発光時間ＴＰに所定の補正時間を加算又は減算（増減）して発光部１０１の発光量を調整する。本実施の形態のフラッシュブラケット撮影では、基準発光量より小さい発光量、基準発光量、基準発光量より大きい発光量の順で連続撮影が行われる。
【００２５】
次いで、操作入力部１０９のレリーズボタンが半押しされると（ステップＳ１０３）、マイコン１０３は設定された撮影条件の情報を読み込む（ステップＳ１０４）。撮影条件の情報とは、例えば、撮影モード、ＩＳＯ感度、シャッタースピードＴｖ、絞り値ＡＶ、露出補正値、焦点距離情報、フォーカス情報である。
【００２６】
次いで、レリーズボタンが全押しされると（ステップＳ１０５）、ステップＳ１０４で読み込まれた撮影条件の情報に基づいて発光部１０１が事前発光を行って被写体に補助光が照射される（ステップＳ１０６）。次いで、照度検出部１０７は発光部１０１の補助光が照射された被写体を測光して被写体の照度レベルを検出する。その後、検出された照度レベルに基づいて発光量決定部１１３は、基準発光量を決定すると共に当該決定された基準発光量に対応するパルス順電流ＩＦＰ及び基準発光量の発光時間ＴＰを決定する（ステップＳ１０７）（決定手段）。ステップＳ１０６において補助光の照射によって実際の撮影条件を再現することができるので、ステップＳ１０７では実際の撮影条件に応じた基準発光量に対応するパルス順電流ＩＦＰ及び基準発光量の発光時間ＴＰを決定することができる。
【００２７】
次いで、後述する図４の露光周期制御処理を実行して周期算出部１１２は決定されたパルス順電流ＩＦＰ及び基準発光量の発光時間ＴＰに基づいて図３に示すような連続撮影の露光周期Ｔを算出する。さらに、マイコン１０３は、基準発光量に対応するパルス順電流ＩＦＰ、基準発光量の発光時間ＴＰ、露光周期Ｔ、及び発光部１０１の発光量が異なる各発光の順番を示す設定情報に基づいて制御信号を生成する（ステップＳ１０８）。
【００２８】
次いで、生成された制御信号に基づいて発光部１０１の発光量を調整して各発光量の撮影を行い（ステップＳ１０９）、ステップＳ１０２で読み込まれた設定情報における連続撮影枚数の撮影が終了したか否かを判別する（ステップＳ１１０）。
【００２９】
ステップＳ１１０の判別の結果、設定情報における連続撮影枚数の撮影が終了したときは、本処理を終了する。ステップＳ１１０の判別の結果、設定情報における連続撮影枚数の撮影が終了していないときは、ステップＳ１０９に戻る。
【００３０】
図４は、図２のフラッシュブラケット撮影処理における露光周期制御処理の手順を示すフローチャートである。
【００３１】
発光部１０１に用いられる白色ＬＥＤは、例えば、ＰＮ接合部のジャンクション温度を所定の温度以内で使用する必要がある。したがって、例えば、フラッシュブラケット撮影等の連続撮影において、白色ＬＥＤを用いた発光部１０１を連続して発光させるときには、各発光の間にＰＮ接合部を冷却させるための時間を設ける必要がある。ＰＮ接合部のジャンクション温度が所定の温度以内に維持されない場合には白色ＬＥＤの特性劣化が発生する。
【００３２】
これに対応して、図４の処理では、基準発光量に対応するパルス順電流ＩＦＰ及び基準発光量の発光時間ＴＰ、並びに予め格納されたデューティー比テーブルに基づいて各発光量の発光時間に所定の時間を設けた露光周期Ｔが算出される。さらに、基準発光量に対応するパルス順電流ＩＦＰ、基準発光量の発光時間ＴＰ、露光周期Ｔ、及び発光部１０１の発光量が異なる各発光の順番を示す設定情報に基づいて制御信号が生成される。
【００３３】
具体的には、まず、内部メモリ１０８に格納された図５に示すデューティー比テーブルを読み込む（ステップＳ２０１）。デューティー比テーブルは、白色ＬＥＤを構成するＰＮ接合部のジャンクション温度を所定の温度以内で使用するために規定されたテーブルであり、図５に示すように発光部１０１の特性劣化が抑制される露光周期Ｔに対する基準発光量の発光時間ＴＰの比（デューティー比）を規定する。なお、本実施の形態では、複数の環境温度に対応して図５のデューティー比テーブルは設定され、各デューティー比テーブルは内部メモリ１０８に格納されている。
【００３４】
次いで、ステップＳ１０７で決定された基準発光量に対応するパルス順電流ＩＦＰ及び基準発光量の発光時間ＴＰ、並びに図５のデューティー比テーブルに基づいて基準発光量に対応するデューティー比Ｄを決定する（ステップＳ２０２）。例えば、ステップＳ２０２では、パルス順電流ＩＦＰが１７５０ｍＡであって発光時間ＴＰが１０ｍｓｅｃであるときに、図５に示すデューティー比テーブルから基準発光量に対応するデューティー比Ｄが０．５と決定される。
【００３５】
次いで、周期算出部１１２は、ステップＳ２０２で決定されたデューティー比Ｄ及び基準発光量の発光時間ＴＰを用いて下記式（１）によって連続撮影の露光周期Ｔを算出する（ステップＳ２０３）（算出手段）。さらに、図３におけるＴ−ＴＰで示される所定の時間を設けた露光周期Ｔが算出される。
Ｔ＝ＴＰ／Ｄ  …（１）
【００３６】
ここで、上記所定の時間は、連続撮影において発光部１０１を基準発光量且つ発光時間ＴＰで連続して発光させるときに、各発光の間にＰＮ接合部を冷却させるために設けられる時間である。本実施の形態では、連続撮影において、或る撮影が行われた後に当該或る撮影の発光量とは異なる発光量の撮影をさらに行う際の露光周期、つまり、図３で示すように、基準発光量より小さい発光量の撮影の露光周期及び基準発光量より大きい発光量の撮影の露光周期に夫々所定の時間を設ける。
【００３７】
ところで、本実施の形態では、基準発光量より小さい発光量の撮影の発光時間ＴＰ’は基準発光量の発光時間ＴＰから所定の補正時間を減算した時間である。そのため、図３で示すように、基準発光量より小さい発光量の撮影の露光周期Ｔに設けられた所定の時間Ｔ−ＴＰ’は基準発光量の撮影の露光周期Ｔに設けられた所定の時間Ｔ−ＴＰより長い。すなわち、所定の時間Ｔ−ＴＰ’において十分にＰＮ接合部を冷却させることができる。一方、基準発光量より大きい発光量の撮影の発光時間ＴＰ’’は基準発光量の発光時間ＴＰへ所定の補正時間を加算した時間である。そのため、図３で示すように、基準発光量より大きい発光量の撮影の露光周期Ｔに設けられた所定の時間Ｔ−ＴＰ’’は基準発光量の撮影の露光周期Ｔに設けられた所定の時間Ｔ−ＴＰより短い。この場合、ＰＮ接合部が十分に冷却されないことが懸念されるが、本実施の形態の連続撮影では、基準発光量より大きい発光量の撮影の後に、さらなる撮影が行われないため、ＰＮ接合部は十分に冷却される。すなわち、基準発光量に基づいて算出された露光周期Ｔを用いて、フラッシュブラケット撮影等の連続撮影を行う際に発光部１０１の特性劣化が発生するのを抑制することができる。さらに、発光量が変わっても露光周期Ｔを変更しない、換言すれば、同一の露光周期Ｔを用いるので、発光量毎に露光周期を変更する場合に比べて露光周期Ｔの制御が容易となり、もって、安定した連続撮影を行うことができる。
【００３８】
次いで、マイコン１０３は、基準発光量に対応するパルス順電流ＩＦＰ、基準発光量の発光時間ＴＰ、露光周期Ｔ、及び発光部１０１の発光量が異なる各発光の順番を示す設定情報に基づいて制御信号を生成し（ステップＳ２０４）、本処理を終了する。
【００３９】
図２及び図４の処理によれば、まず、照度検出部１０７によって検出された結果に基づいて基準発光量及び当該基準発光量に対応するパルス順電流ＩＦＰが決定される。次いで、決定されたパルス順電流ＩＦＰ及び基準発光量の発光時間ＴＰ並びに図５のデューティー比テーブルに基づいて基準発光量におけるデューティー比Ｄが決定される。次いで、決定されたデューティー比Ｄ及び基準発光量の発光時間ＴＰを用いて連続撮影の露光周期Ｔが算出される。ここで、図５のデューティー比テーブルには発光部１０１の特性劣化が抑制される露光周期Ｔに対する基準発光量の発光時間ＴＰの比が規定され、発光部１０１の発光量はパルス順電流ＩＦＰ及び発光時間ＴＰによって規定されるので、図２及び図４の処理では、発光部１０１の発光量に応じて発光部１０１の特性劣化が抑制される露光周期Ｔを算出することができる。その結果、算出された露光周期Ｔを用いることにより、フラッシュブラケット撮影等の連続撮影を行うことによる発光部１０１の特性劣化の発生を確実に抑制することができる。
【００４０】
また、図２及び図４の処理によれば、ステップＳ１０４で読み込まれた撮影条件の情報に基づいて発光部１０１が事前発光を行って被写体に補助光が照射され、発光部１０１の補助光が照射された被写体を測光して被写体の照度レベルが検出される。その後、検出された結果に基づいて基準発光量を決定すると共に当該決定された基準発光量に対応するパルス順電流ＩＦＰ及び基準発光量の発光時間ＴＰが決定される（ステップＳ１０７）。補助光の照射によって実際の撮影条件を再現することができるので、補助光が照射された被写体を測光した結果に基づくことにより、実際の撮影条件に応じた基準発光量に対応するパルス順電流ＩＦＰ及び基準発光量の発光時間ＴＰを決定することができる。これにより、撮影条件毎に発光部１０１の特性劣化が抑制される露光周期を確実に算出することができる。
【００４１】
さらに、図２及び図４の処理によれば、連続撮影が行われる際に基準発光量の発光時間ＴＰに所定の補正時間を加算又は減算させる。これにより、発光部１０１の発光時間の変化を容易に実現することができ、フラッシュブラケット撮影を容易に実施することができる。
【００４２】
本実施の形態では、複数の環境温度に対応して設定された複数のデューティー比テーブルが内部メモリ１０８に格納されるので、発光部１０１の周辺の温度に応じてデューティー比テーブルを使い分けることにより、発光部１０１の適正な基準発光量の発光時間ＴＰを確実に算出することができる。
【００４３】
また、本実施の形態では、被写体の連続撮影を行う際、最後の被写体の撮影において、基準発光量の発光時間ＴＰに所定の補正時間を加算するのが好ましい。これにより、発光部１０１の発光量が基準発光量より大きい場合の撮影を最後に実行することができる。その結果、白色ＬＥＤが発光部１０１に用いられていても、発光部１０１の発光量が基準発光量より大きい場合の撮影によって加熱したＰＮ接合部を長く冷却した後にさらに撮影を行うことがない。これにより、ＰＮ接合部を長く冷却する必要がある基準発光量より大きい発光量で撮影した後に基準発光量又は基準発光量より小さい発光量で最後に撮影する場合に比べて全体の撮影時間を短縮することができる。
【００４４】
本実施の形態では、基準発光量の撮影の発光時間ＴＰから算出された同一の露光周期Ｔを被写体の連続撮影（フラッシュブラケット撮影）の各撮影に適用しているが、各撮影に適用される露光周期は同一でなくてもよい。この場合、例えば、まず、図６で示すように、基準発光量の撮影の発光時間ＴＰからだけでなく、発光時間ＴＰに所定の補正時間を加算した発光時間ＴＰ’’や発光時間ＴＰから所定の補正時間を減算した発光時間ＴＰ’のそれぞれからも図５のデューティー比テーブルに基づいて露光周期Ｔ’’や露光周期Ｔ’を算出する。次いで、発光時間ＴＰ’’に対応する撮影に露光周期Ｔ’’を適用し、発光時間ＴＰ’に対応する撮影に露光周期Ｔ’を適用する。これにより、各撮影において発光時間に見合ったＰＮ接合部の冷却のための所定の時間（Ｔ−ＴＰ’’やＴ−ＴＰ’）を確保することができ、もって、ＰＮ接合部を十分に冷却するとともに、撮影時間が不必要に長くなるのを抑制することができる。
【００４５】
また、本実施の形態では、被写体の連続撮影において発光時間を調整することによって発光部１０１の発光量を調整したが、図７で示すように、基準発光量のパルス順電流ＩＦＰに所定の補正電流ΔＩを加算又は減算させて発光量を調整してもよい。この場合、各撮影において発光時間を変化させること無く発光量を変化させることができ、もって、フラッシュブラケット撮影を容易に実施することができる。
【００４６】
本実施の形態では、撮像装置１００はレンズ部１０４を一体的に構成しているが、レンズ部１０４はレンズマウントを介して撮像装置１００に着脱されるレンズ交換式の構成であってもよい。
【００４７】
次に、本実施の形態の変形例に係る撮像装置及びその制御方法について説明する。
【００４８】
本変形例では、発光部が撮像装置から独立している場合、つまり、発光部を有する照明装置である外部閃光装置を撮像装置に取り付けた場合について詳述する。
【００４９】
本変形例は、その構成、作用が上述した実施の形態と基本的に同じであるので、重複した構成、作用については説明を省略し、以下、上述した実施の形態と異なる構成、作用についてのみ詳細に説明する。
【００５０】
図８は、図１の撮像装置１００の変形例である撮像装置７００の構成及び外部閃光装置７０３の構成を概略的に示すブロック図である。
【００５１】
図８において、撮像装置７００は外部閃光装置７０３と接続可能な接続部７０１及び制御信号送受信部７０２を有する。外部閃光装置７０３は、発光部１０１及び発光制御部１０２を有し、さらに、撮像装置７００と接続可能な接続部７０４、制御信号送受信部７０５、及び閃光装置マイコン７０６を有する。撮像装置７００及び外部閃光装置７０３は接続部７０１及び接続部７０４で接続される。マイコン１０３で生成された制御信号は、撮像装置７００の制御信号送受信部７０２及び外部閃光装置７０３の制御信号送受信部７０５並びに閃光装置マイコン７０６を介して発光制御部１０２に出力される。
【００５２】
撮像装置７００及び外部閃光装置７０３においても、マイコン１０３が内部メモリ１０８に記憶されたプログラムを実行することにより、上述した図２の処理及び図４の処理と同様の処理を実行することができる。
【００５３】
具体的には、まず、操作入力部１０９を用いてフラッシュブラケット撮影モードが設定される。さらに、フラッシュブラケット撮影に必要な各種設定情報及び撮影条件が設定されると（ステップＳ１０１）、マイコン１０３は設定されたフラッシュブラケット撮影に必要な各種設定情報を読み込む（ステップＳ１０２）。次いで、操作入力部１０９のレリーズボタンが半押しされると（ステップＳ１０３）、設定された撮影条件の情報を読み込む（ステップＳ１０４）。次いで、レリーズボタンが全押しされると（ステップＳ１０５）、ステップＳ１０４で読み込まれた撮影条件の情報に基づいて外部閃光装置７０３の発光部１０１が事前発光を行って被写体に補助光が照射される（ステップＳ１０６）。次いで、照度検出部１０７は外部閃光装置７０３の発光部１０１の補助光が照射された被写体を測光して被写体の照度レベルを検出する。その後、検出された結果に基づいて発光量決定部１１３は、基準発光量を決定すると共に当該決定された基準発光量に対応するパルス順電流ＩＦＰ及び基準発光量の発光時間ＴＰを決定する（ステップＳ１０７）。
【００５４】
次いで、マイコン１０３は図４の露光周期制御処理を実行して周期算出部１１２が基準発光量に対応するパルス順電流ＩＦＰ及び基準発光量の発光時間ＴＰに基づいて連続撮影の露光周期Ｔを算出する。さらに、マイコン１０３は、基準発光量に対応するパルス順電流ＩＦＰ、基準発光量の発光時間ＴＰ、露光周期Ｔ、及び発光部１０１の発光量が異なる各発光の順番を示す設定情報に基づいて制御信号を生成する（ステップＳ１０８）。次いで、生成された制御信号に基づいて外部閃光装置７０３の発光部１０１の発光量を調整して各発光量の撮影を行う（ステップＳ１０９）。次いで、ステップＳ１０２で読み込まれた設定情報における連続撮影枚数の撮影が終了したか否かを判別する（ステップＳ１１０）。ステップＳ１１０の判別の結果、ステップＳ１０２で読み込まれた設定情報における連続撮影枚数の撮影が終了したときは、本処理を終了する。
【００５５】
これにより、本変形例においても、上述した図２及び図４の処理と同様の効果を奏することができる。
【００５６】
なお、本発明は、上記実施の形態の機能を実現するソフトウェア（プログラム）を、ネットワーク又は各種記憶媒体を介してシステム或いは装置に供給し、当該システム或いは装置のコンピュータ（又はＣＰＵ，ＭＰＵ等）がプログラムを読み出して実行する処理を実行することによって実現してもよい。さらに、本発明は、ネットワーク又は各種記憶媒体を介して取得したソフトウェア（プログラム）をパーソナルコンピュータ（ＣＰＵ，プロセッサ）にて実行することによって実現してもよい。
【符号の説明】
【００５７】
１００  撮像装置
１０１  発光部
１０２  発光制御部
１０３  マイコン
１０７  照度検出部
１０８  内部メモリ
１１２  周期算出部
１１３  発光量決定部
１１４  連続撮影制御部
７０３  外部閃光装置
【図１】
2015222372.tif 000003
【図２】
2015222372.tif 000004
【図３】
2015222372.tif 000005
【図４】
2015222372.tif 000006
【図５】
2015222372.tif 000007
【図６】
2015222372.tif 000008
【図７】
2015222372.tif 000009
【図８】
2015222372.tif 000010